(57)【要約】【課題】同一画面上で容易に運転統制記録とジャーナルの関連付けを行うことができるようにする。【解決手段】電力指令システムに設けられた情報系サーバ１００および作業処理装置２０２とイーサネットによって接続され、アクセスポイント５００とのＷｉ−Ｆｉ通信によってスマートデバイス４００と接続されたゲートウェイ装置３００を備え、前記ゲートウェイ装置３００は、前記情報系サーバ１００が保有する情報系データおよび前記作業処理装置２０２が保有する制御データを取得して一元管理するデータ収集機能３０４と、前記データ収集機能３０４が収集した各データに基づいて、電子情報化した運転統制記録とジャーナル記録を前記スマートデバイス４００の同一画面に表示させ、それらを関連付けた情報を画面に表示し、保存する機能を有したコンテンツ管理機能３０５と、を有している。【選択図】図２
2015095240.tif 000002
【特許請求の範囲】
【請求項１】
遠方監視制御装置との間で情報の授受を行って監視制御を行う監視制御システムにおいて、
複数の遠方監視制御装置を統括する電力指令システムに設けられた情報系サーバおよび作業処理装置と第１のネットワークによって接続され、第２のネットワークによって携帯型汎用情報端末と接続されたゲートウェイ装置を具備し、
前記ゲートウェイ装置は、前記情報系サーバが保有する情報系データおよび前記作業処理装置が保有する制御データを取得して一元管理するデータ収集手段と、
前記データ収集手段が収集した各データに基づいて、電子情報化した運転統制記録とジャーナル記録を前記携帯型汎用情報端末の同一画面に表示させる機能と、前記携帯型汎用情報端末の操作者が、前記表示された画面上で運転統制記録とジャーナル記録を関連付ける操作を行ったときに、前記運転統制記録情報とジャーナル記録情報を関連付けて前記携帯型汎用情報端末の画面に表示させる機能と、前記関連付けた運転統制記録情報とジャーナル記録情報を保存する機能とを有する情報関連付け手段と、を備えていることを特徴とする監視制御システムにおける運転統制記録確認装置。
【請求項２】
遠方監視制御装置との間で情報の授受を行って監視制御を行う監視制御システムにおける運転統制記録確認方法であって、
複数の遠方監視制御装置を統括する電力指令システムに設けられた情報系サーバおよび作業処理装置と第１のネットワークによって接続され、第２のネットワークによって携帯型汎用情報端末と接続されたゲートウェイ装置の、データ収集手段が、前記情報系サーバが保有する情報系データおよび前記作業処理装置が保有する制御データを取得して一元管理するデータ収集ステップと、
前記ゲートウェイ装置の情報関連付け手段が、前記データ収集手段によって収集された各データに基づいて、電子情報化した運転統制記録とジャーナル記録を前記携帯型汎用情報端末の同一画面に表示させるステップと、
前記ゲートウェイ装置の情報関連付け手段が、前記携帯型汎用情報端末の操作者によって、前記表示された画面上で運転統制記録とジャーナル記録を関連付ける操作がなされたときに、前記運転統制記録情報とジャーナル記録情報を関連付けて前記携帯型汎用情報端末の画面に表示させるステップと、
前記ゲートウェイ装置の情報関連付け手段が、前記関連付けられた運転統制記録情報とジャーナル記録情報を保存するステップと、
を備えたことを特徴とする監視制御システムにおける運転統制記録確認方法。
【発明の詳細な説明】
【技術分野】
【０００１】
本発明は、遠方監視制御装置の状態を監視し制御を行う監視制御システムにおける運転統制記録確認装置に関する．
【背景技術】
【０００２】
従来、電鉄用の監視制御システムとして、例えば非特許文献１に記載のシステムが存在する。非特許文献１には、電鉄用変電所の監視制御と携帯電話を使用した現場作業支援機能に優れた電力指令システムが記載されている。
【０００３】
非特許文献１に記載のシステムでは、各遠方監視制御装置から取得し蓄積したデータにより過去の記録を確認する際、システムの制御卓のモニタ画面にて表示した運転統制記録と、紙にて印字出力したジャーナル記録の両方を見比べて、それらの関連を確認していた。
【０００４】
また、確認した情報を報告書等にまとめる際、上記のようにして確認した結果を元に、手作業で運転統制記録とジャーナルの関連をまとめ直していた。
【０００５】
前記運転統制記録の項目は次の表１の番号１〜２１のように分類される。
【０００６】
【表１】
2015095240.tif 000003
【０００７】
また、従来の監視制御システムの制御卓のモニタ画面にて表示される運転統制記録の一例を図１１に示す。
【０００８】
また、紙にて印字出力されるジャーナルの例を図１２、図１３に示す。図１２は、遠制情報（共通）についてのジャーナル情報を表しており、（ａ）はジャーナルのフォーマット、（ｂ）はジャーナルの各部（１）〜（２１）の説明、（ｃ）は印字例を各々示している。図１３はジャーナルの印字の他の例を示している。
【先行技術文献】
【非特許文献】
【０００９】
【非特許文献１】「明電電鉄用  電力指令システム」、株式会社明電舎、明電舎カタログ  ＢＡ５１０−２８３０Ｂ、２０１２年９月
【発明の概要】
【発明が解決しようとする課題】
【００１０】
前記のような従来の運転統制記録確認方法では次のような問題点があった。  
（１）運転統制記録は画面にて、ジャーナルについては印字出力した紙にて確認するので、確認作業の都度印字出力して運転統制記録の画面と見比べる必要があり非常に面倒であった。また、印字出力した紙を管理する必要があり煩雑であった。
（２）どの運転統制記録とどのジャーナルが対応しているのかを見比べる必要があるが、異なる媒体（画面と印字出力）を見比べるのは、運転統制記録とジャーナルの関連を確認するのに加え、媒体が異なるという点で大変であった。
（３）運転統制記録とジャーナルの関係について、報告書等にまとめて後で確認した場合は、その都度、画面表示された運転統制記録と印字出力されたジャーナルより、手作業で、その関係性を確認し、報告書等を作成しなければならなかった。この作業は大変な労力を要するものである。
（４）ジャーナルは印字出力した上で、運転統制記録と見比べていたということに加え、従来のシステムはセキュリティの関係で外部には接続されていない、閉じられたネットワークの中で動くシステムであることにより、外部から、印字出力せずに、運転統制記録とジャーナルの関係を確認することができなかった。
【００１１】
本発明は、上記課題を解決するものであり、その目的は、同一画面上で容易に運転統制記録とジャーナルの関連付けを行うことができる監視制御システムにおける運転統制記録確認装置、方法を提供することにある。
【課題を解決するための手段】
【００１２】
上記課題を解決するための請求項１に記載の監視制御システムにおける運転統制記録確認装置は、遠方監視制御装置との間で情報の授受を行って監視制御を行う監視制御システムにおいて、複数の遠方監視制御装置を統括する電力指令システムに設けられた情報系サーバおよび作業処理装置と第１のネットワークによって接続され、第２のネットワークによって携帯型汎用情報端末と接続されたゲートウェイ装置を具備し、前記ゲートウェイ装置は、前記情報系サーバが保有する情報系データおよび前記作業処理装置が保有する制御データを取得して一元管理するデータ収集手段と、前記データ収集手段が収集した各データに基づいて、電子情報化した運転統制記録とジャーナル記録を前記携帯型汎用情報端末の同一画面に表示させる機能と、前記携帯型汎用情報端末の操作者が、前記表示された画面上で運転統制記録とジャーナル記録を関連付ける操作を行ったときに、前記運転統制記録情報とジャーナル記録情報を関連付けて前記携帯型汎用情報端末の画面に表示させる機能と、前記関連付けた運転統制記録情報とジャーナル記録情報を保存する機能とを有する情報関連付け手段と、を備えていることを特徴としている。
【００１３】
また、本発明の監視制御システムにおける運転統制記録確認方法は、遠方監視制御装置との間で情報の授受を行って監視制御を行う監視制御システムにおける運転統制記録確認方法であって、複数の遠方監視制御装置を統括する電力指令システムに設けられた情報系サーバおよび作業処理装置と第１のネットワークによって接続され、第２のネットワークによって携帯型汎用情報端末と接続されたゲートウェイ装置の、データ収集手段が、前記情報系サーバが保有する情報系データおよび前記作業処理装置が保有する制御データを取得して一元管理するデータ収集ステップと、前記ゲートウェイ装置の情報関連付け手段が、前記データ収集手段によって収集された各データに基づいて、電子情報化した運転統制記録とジャーナル記録を前記携帯型汎用情報端末の同一画面に表示させるステップと、前記ゲートウェイ装置の情報関連付け手段が、前記携帯型汎用情報端末の操作者によって、前記表示された画面上で運転統制記録とジャーナル記録を関連付ける操作がなされたときに、前記運転統制記録情報とジャーナル記録情報を関連付けて前記携帯型汎用情報端末の画面に表示させるステップと、前記ゲートウェイ装置の情報関連付け手段が、前記関連付けられた運転統制記録情報とジャーナル記録情報を保存するステップと、を備えたことを特徴としている。
【００１４】
上記構成によれば、運転統制記録とジャーナルを、携帯型汎用情報端末を用いて外部から同一画面上で容易に関連付け、その関連付けた情報を保存することができる。
【００１５】
このため、監視制御システムにおける運転統制記録の確認作業が大幅に簡単化され、また関連付けた情報を容易に再利用することができる。
【００１６】
この際、ゲートウェイ装置を設けているため、携帯型汎用情報端末から直接制御システムの機器やデータにアクセスしないので、電力指令システムの信頼性やリアルタイム性を損なうことがない。
【発明の効果】
【００１７】
本発明によれば、既存の電力指令システムの信頼性やリアルタイム性を損なうことなく、運転統制記録とジャーナルを、携帯型汎用情報端末を用いて外部から同一画面上で容易に関連付け、その関連付けた情報を保存することができる。
【００１８】
これによって、従来の紙媒体による管理が不要となり、運転統制記録の確認作業が大幅に簡単化され、また関連付けた情報を容易に再利用することができる。
【図面の簡単な説明】
【００１９】
【図１】本発明の一実施形態例による監視制御システムの全体構成図。
【図２】本発明の一実施形態例による監視制御システムのシステム構成図。
【図３】本発明の一実施形態例による監視制御システムのデータ収集機能関連図。
【図４】本発明の一実施形態例による監視制御システムの機能階層図。
【図５】本発明の一実施形態例による監視制御システムにおける画面遷移の説明図。
【図６】本発明の一実施形態例による監視制御システムにおけるログイン画面の説明図。
【図７】本発明の一実施形態例による監視制御システムにおけるメニュー画面の説明図。
【図８】本発明の一実施形態例による監視制御システムにおける全体系統図の画面の説明図。
【図９】本発明の一実施形態例による監視制御システムにおけるジャーナル解析時の検索条件指定画面の説明図。
【図１０】本発明の一実施形態例による監視制御システムにおけるジャーナル解析画面の説明図。
【図１１】従来の運転統制記録の表示画面の一例を示す説明図。
【図１２】監視制御システムにおけるジャーナル情報の一例を示す説明図。
【図１３】監視制御システムにおけるジャーナルの印字例を示す説明図。
【発明を実施するための形態】
【００２０】
以下、図面を参照しながら本発明の実施の形態を説明するが、本発明は下記の実施形態例に限定されるものではない。本実施形態例は、本発明を電力指令システムに適用した実施形態であり、図１は全体構成図を、図２はシステム構成図を、図３はデータ収集機能関連図を、図４はゲートウェイ装置の機能階層図を各々示している。
【００２１】
図１において、１００は、複数の遠方監視制御装置（図示省略）との間で情報の授受を行う電力指令システムに設けられた情報系サーバであり、１１０は事故復旧処理装置である。これら情報系サーバ１００および事故復旧処理装置１１０は複数のスイッチングハブ１２１〜１２４を介して接続されている。
【００２２】
２０１、２０２は前記電力指令システムに設けられた作業処理装置である。これら作業処理装置２０１、２０２は複数のスイッチングハブ２２１〜２２４を介して接続されている。
【００２３】
３００は、イーサネット（登録商標）（第１のネットワーク）によって、スマートデバイス４００とのＷｉ−Ｆｉ通信拠点としてのアクセスポイント５００と、前記情報系サーバ１００と、作業処理装置２０２とに各々接続され、後述するデータ収集機能（データ収集手段）およびコンテンツ管理機能（情報関連付け手段）を備えたゲートウェイ装置である。
【００２４】
このゲートウェイ装置３００は、ＤＭＺ（ＤｅＭｉｌｉｔａｒｉｚｅｄ  Ｚｏｎｅ；非武装地帯）を構成するファイアウォール６０１、６０２、６０３が各々配置されている。
【００２５】
図１のように、本実施形態例のゲートウェイ装置３００は、情報系サーバ１００、作業処理装置２０２およびアクセスポイント５００とイーサネット（第１のネットワーク）により接続され、アクセスポイント５００とのＷｉ−Ｆｉ通信（第２のネットワーク）によってスマートデバイス４００と接続されている。尚、スマートデバイス４００は本実施例では３台としているがこれに限るものではない。
【００２６】
情報系サーバ１００、作業処理装置２０２およびゲートウェイ装置３００の各々のデータ構成は図２のように構成されている。
【００２７】
図２において、１０１は情報系のファイルデータベース、１０２は情報系データベース（ＲＤＢ）であり、各データベース内のデータは情報系データ取得機能１０３によって取得される。１０４は情報系サーバ１００のｗｅｂサーバである。
【００２８】
２１１は制御系のファイルデータベース、２１２は制御系データベース（ＲＤＢ）であり、各データベース内のデータは制御系データ取得機能２１３によって取得される。２１４は作業処理装置２０２のｗｅｂサーバである。
【００２９】
３０１はゲートウェイ装置３００内のファイルデータベース、３０２はコンテンツ用のデータベース（ＲＤＢ）、３０３は全文検索機能である。３０４は、図４に示す情報系データ管理、情報系データ取得、制御系データ管理、制御系データ取得の各機能を備え、ｗｅｂサーバ１０４、２１４を介して情報系サーバ１００および作業処理装置２０２からの各データを収集して一元管理し、外部から閲覧できるデータに加工して、ファイルデータ３０１、ＲＤＢ３０２に保存する（すなわちオンメモリのデータをＲＤＢ３０２へ格納する）データ収集機能（データ収集手段）である。
【００３０】
３０５は、ファイルデータベース３０１、ＲＤＢ３０２に格納された各データに基づいて、電子情報化した運転統制記録とジャーナル記録を前記スマートデバイス４００の同一画面に表示させる機能と、前記スマートデバイス４００の操作者が、前記表示された画面上で運転統制記録とジャーナル記録を関連付ける操作を行ったときに、前記運転統制記録情報とジャーナル記録情報を関連付けて前記スマートデバイス４００の画面に表示させる機能と、前記関連付けた運転統制記録情報とジャーナル記録情報を保存する機能とを有する情報関連付け手段としてのコンテンツ管理機能である。
【００３１】
これらコンテンツ管理機能３０５が行う各機能は図４に示すジャーナル解析機能として処理されるものである。コンテンツ管理機能３０５はこのジャーナル解析機能の他に、図４に示すログイン、メニュー、全体系統図、事故復旧支援、システム情報、スナップショット、文書管理および全文検索の各画面を、スマートデバイス４００に表示させるための各情報を構築する機能を有している。
【００３２】
３０６は、図４に示すログ管理、タスクスケジューリング、時刻同期、死活監視の各機能を行うシステムメンテナンス機能である。
【００３３】
３０７は、アクセスポイント５００と接続されたゲートウェイ装置３００のｗｅｂサーバである。
【００３４】
情報系サーバ１００、作業処理装置２０２およびゲートウェイ装置３００は、各々コンピュータにより構成され、通常のコンピュータのハードウェアリソース、例えばＲＯＭ、ＲＡＭ、ＣＰＵ、入力装置、出力装置、通信インターフェース、ハードディスク、記録媒体およびその駆動装置を備えている。
【００３５】
このハードウェアリソースとソフトウェアリソース（ＯＳ、アプリケーションなど）との協働の結果、情報系サーバ１００はファイルデータベース１０１、ＲＤＢ１０２、情報系データ取得機能１０３およびｗｅｂサーバ１０４を実装し、作業処理装置２０２はファイルデータベース２１１、ＲＤＢ２１２、制御系データ取得機能２１３およびｗｅｂサーバ２１４を実装し、ゲートウェイ装置３００はファイルデータベース３０１、ＲＤＢ３０２、全文検索機能３０３、データ収集機能３０４、コンテンツ管理機能３０５、システムメンテナンス機能３０６およびｗｅｂサーバ３０７を実装する。
【００３６】
前記ファイルデータベース１０１、２１１、３０１、ＲＤＢ１０２、２１２、３０２は各コンピュータ（１００，２０２，３００）のハードディスクあるいはＲＡＭなどの保存手段・記憶手段に構築されているものとする。
【００３７】
図３はゲートウェイ装置３００のデータ収集機能３０４のデータ収集機能関連図であり、図２と同一部分は同一符号をもって示している。図３において、実線の矢印は処理要求とデータの流れを示し、破線の矢印はデータベース、ファイルデータへのアクセスを示している。
【００３８】
本機能は、情報系サーバ１００および作業処理装置２０２のデータベースに格納されている情報および各種ファイルを取得し、ゲートウェイ装置３００に保存する。ＨＴＴＰ通信にてｗｅｂＡＰＩ（ａｐｐｌｉｃａｔｉｏｎ  ｐｒｏｇｒａｍｍｉｎｇ  ｉｎｔｅｒｆａｃｅ）を介して、情報系サーバ１００および作業処理装置２０２の情報を取得し保存する。
【００３９】
本機能では、それぞれのサーバから以下のようにしてゲートウェイ装置３００にデータを収集する。
【００４０】
情報系サーバ１００では、定期的に情報系サーバ１００から全データを取得しゲートウェイ装置３００に内容を保存する。例えば情報系サーバのデータに対して削除は行わない（新規登録、更新処理も行わない）。
【００４１】
作業処理装置２０２では、定期的に作業処理装置２０２から全データを取得しゲートウェイ装置３００に内容を保存する。例えば取得したデータは作業処理装置２０２から削除する（新規登録、更新処理は行わない）。ゲートウェイ装置３００内に蓄積された作業処理装置２０２のデータについては、例えば一定期間経過したデータは削除する。
【００４２】
情報系サーバ１００および作業処理装置２０２で実装するｗｅｂＡＰＩの取得／削除処理については、例えばＡｐａｃｈｅのＩＰ認証によるアクセス制限を設定することで、ゲートウェイ装置３００以外から情報を取得／削除できないようにする。また、コンテンツ管理機能３０５にて更新時刻を判断可能にするため、例えばゲートウェイ装置３００に各種データを取得した時刻をデータベースに保持しておく。
（１）情報系データ管理機能３０４Ｄ
情報系サーバ１００から情報系データ（ＲＤＢ）１０２を取得し、ゲートウェイ装置３００のコンテンツ用のデータベース３０２（ＲＤＢ）に保存する。ファイルデータについても、情報系サーバ１００から取得し、ゲートウェイ装置３００のファイルデータベース３０１に保存する。
（２）情報系データ取得機能１０３
情報系サーバ１００にてデータ（ＲＤＢ）１０２及びファイルデータ１０１を取得し、取得した内容をＲｅｓｐｏｎｓｅとして返す。
（３）制御系データ管理機能３０４Ｃ
作業処理装置２０２から制御系データ（ＲＤＢ）２１２を取得し、ゲートウェイ装置３００のコンテンツ用のデータベース（ＲＤＢ）３０２に保存する。作業処理装置２０２に対して取得したデータの削除要求を出す。ゲートウェイ装置３００のコンテンツ用のデータベース（ＲＤＢ）にある運転統制記録、ジャーナルデータ、システム情報について一定期間経過したデータを削除する。
【００４３】
コンテンツ管理機能３０５は、ゲートウェイ装置３００に収集したスマートデバイス表示用の情報をスマートデバイス４００に表示させるものであるが、コンテンツ管理はゲートウェイ装置３００をｗｅｂサーバとするｗｅｂアプリケーションとして実現する。
【００４４】
次にコンテンツ管理機能３０５が行う各機能を詳細に説明する。  
【００４５】
まず、スマートデバイス４００に表示するための各画面の全体構成を図５に示す。本実施形態例では、ログイン画面を図６のように、メニュー画面を図７のように、全体系統図を図８のように、ジャーナル解析検索条件指定画面を図９のように、ジャーナル解析画面を図１０のように各々表示させるものであるが、その他に事故復旧支援一覧画面、スナップショットフォルダ表示画面、スナップショット表示画面、文書管理トップ画面、全文検索検索条件入力画面、全文検索結果画面、アラーム登録画面、ユーザ管理画面等も表示させる機能を有している。
【００４６】
（１）ログイン機能
図６に示すように「ユーザＩＤ」入力欄、「パスワード」入力欄、「ログイン」ボタン、「キャンセル」ボタンを表示し、スマートデバイス４００の操作者が「ログイン」ボタンをタップしたときに、入力されたユーザＩＤとパスワードの整合性を確認し、問題がなければメニュー画面に遷移する。
【００４７】
（２）メニュー機能
図７において、
（ａ）メニュー
各機能毎に枠を設け、右下に各画面へ遷移する為の画面切替ボタンを表示し、該当する機能の画面切替ボタンがタップされた場合、各機能の画面へ遷移する。全体系統図の枠には全体系統図を表示する。ジャーナル解析の枠には運転統制記録を例えば最大１０件表示し、事故復旧支援の枠には未処置一覧を例えば最大１０件表示する。システム情報の枠には運転モード（主・従・停止）、現在時刻、主系確立日時を表示する。スナップショットには最新の画像を表示する。
（ｂ）ユーザマニュアル
左上にユーザマニュアル表示ボタンを表示し、ユーザマニュアル表示ボタンがタップされた場合、ユーザマニュアルを表示する。
（ｃ）ユーザ管理
管理者権限を有するユーザがログインした場合のみ、右上の右から２番目にユーザ管理ボタンを表示し、ユーザ管理ボタンがタップされた場合、ユーザ管理画面を表示する。
（ｄ）ログアウト
右上の右から１番目にログアウトボタンを表示し、ログアウトボタンがタップされた場合、ログイン画面を表示する。
（ｅ）メッセージ表示
サーバとの通信が失敗した場合は「サーバと接続できません。」とメッセージを表示する。サーバからの異常を受信した場合は「サーバとの接続が切れました。」とメッセージ表示し、ログイン画面を表示する。
【００４８】
（３）全体系統図機能
図８において、
（ａ）系統図表示
全体系統図の開閉器の状態を取得し、表示する。開閉器の状態を全体系統図に反映して表示し、ゲートウェイ装置３００が情報を取得した日時を表示する。表示した系統図は拡大縮小を可能とする。
（ｂ）更新
右下に更新ボタンを表示し、更新ボタンがタップされた場合、最新の情報を取得し表示する。
（ｃ）メニューに戻る
左上にホームボタンを表示し、ホームボタンをタップすることにより、メニューに戻る。
（ｄ）ログアウト
右上の右から１番目にログアウトボタンを表示し、ログアウトボタンがタップされた場合、ログイン画面を表示する。
（ｅ）メッセージ表示
サーバとの通信が失敗した場合は「サーバと接続できません。」とメッセージを表示する。サーバからの異常を受信した場合は「サーバとの接続が切れました。」とメッセージ表示し、ログイン画面を表示する。
【００４９】
（４）ジャーナル解析機能
図９において、
（ａ）検索条件設定
「検索期間」入力欄、「検索キーワード」入力欄、「対象ポスト選択」画面、「検索開始」ボタン、及び検索可能範囲を表示する。
【００５０】
検索可能範囲に表示された範囲で検索期間（年月日時分）を設定し、年月日はカレンダから選択可能とする。検索期間で設定できる期間は予め設定した値により制限される（例えば２４時間の範囲しか指定できない設定の場合、検索期間の開始と終了の間は２４時間以内に制限される）。
【００５１】
キーワードには運転統制記録に含まれる文字列で絞込みを行いたいキーワードを設定する。
【００５２】
対象ポストでは表示対象のポストをタップして選択する。もう一度タップすると選択解除となる。一括の選択・選択解除は「一括」ボタンをタップして切替可能。
【００５３】
「検索開始」ボタンがタップされた場合、検索期間、キーワード、対象ポストの全ての条件を満たす運転統制記録の情報を表示する。
（ｂ）メニューに戻る
左上にホームボタンを表示し、ホームボタンをタップすることにより、メニューに戻る。
（ｃ）ログアウト
右上の右から１番目にログアウトボタンを表示し、ログアウトボタンがタップされた場合、ログイン画面を表示する。
（ｄ）保存データ呼出
右上の右から２番目にデータ呼出ボタンを表示し、データ呼出ボタンがタップされた場合、保存データ名の一覧を表示し、選択した保存データを表示する。
（ｅ）メッセージ表示
対象ポストが何も選択されていない場合は、「対象ポストを選択してください。」とメッセージ表示する。
【００５４】
サーバとの通信が失敗した場合は「サーバと接続できません。」とメッセージを表示する。サーバからの異常を受信した場合は「サーバとの接続が切れました。」とメッセージ表示し、ログイン画面を表示する。
【００５５】
図１０において、
（ｆ）一覧表示
・運転統制記録とジャーナルの一覧をそれぞれ表示する。
【００５６】
・複数行に渡るジャーナル情報は１行目のみ表示し、右の展開ボタン（＞）をタップすることにより２行目以降の情報を表示する。
【００５７】
・ジャーナルの一覧は最小化を可能とし、最小化した際には運転統制記録を当該画面の全体に表示する。
（ｇ）運転統制記録選択
・選択した運転統制データの日時に一番近い時間のジャーナルを先頭に表示する。
（ｈ）関連付け
・運転統制記録を選択し、ジャーナルのチェックボックス（図示左端の□部分）をＯＮにすることで関連付けを設定する。複数の運転統制記録について同じジャーナルを関連付けることが可能である。また、複数のジャーナルについて同じ運転統制記録を関連付けることも可能である。
【００５８】
・運転統制記録の一覧で、運転統制記録の直下に関連付けられたジャーナル情報を表示する。
【００５９】
・運転統制記録を選択し、ジャーナルのチェックボックスをＯＦＦにすることで関連付けを解除する。
【００６０】
・関連付け情報は随時サーバのデータベースに保存する。
（ｉ）保存
・右上の右から２番目に保存ボタンを表示し、保存ボタンがタップされた場合、運転統制記録とジャーナルの関連付け情報を名前を付けてゲートウェイ装置３００のデータベースに保存する。
【００６１】
・保存した関連付け情報は全ユーザ共通とする。
（ｊ）検索条件設定
・左上の左から２番目に検索条件設定ボタンを表示し、検索条件設定ボタンがタップされた場合、検索条件設定画面を表示する。
（ｋ）メニューに戻る（ジャーナル解析）
左上の左から１番目にホームボタンを表示し、ホームボタンをタップすることにより、メニューに戻る。
（ｌ）ログアウト
右上の右から１番目にログアウトボタンを表示し、ログアウトボタンがタップされた場合、ログイン画面を表示する。
（ｍ）メッセージ表示
サーバとの通信が失敗した場合は「サーバと接続できません。」とメッセージを表示する。サーバからの異常を受信した場合は「サーバとの接続が切れました。」とメッセージ表示し、ログイン画面を表示する。
【００６２】
以上のように本実施形態例によれば、データ収集機能３０４が収集データの一元管理を行って、外部から閲覧できるデータに加工し、コンテンツ管理機能３０５が、スマートデバイス４００の同一画面上に運転統制記録とジャーナル記録を表示させる機能（ジャーナル解析機能（４）の一覧表示（ｆ））と、前記表示された画面上で運転統制記録とジャーナル記録を関連付けて画面に表示させる機能（ジャーナル解析機能（４）の関連付け（ｈ））、前記関連付けた運転統制記録情報とジャーナル記録情報を保存する機能（ジャーナル解析機能（４）の保存（ｉ））とを有しているので、既存の電力指令システムの信頼性やリアルタイム性を損なうことなく、運転統制記録とジャーナルを、スマートデバイス４００を用いて外部から同一画面上で容易に関連付け、その関連付けた情報を保存することができる。
【００６３】
これによって、従来の紙媒体による管理が不要となり、運転統制記録の確認作業が大幅に簡単化され、また関連付けた情報を容易に再利用することができる。
【００６４】
尚、本発明は電力指令システムに適用するに限らず、他の監視制御システムに適用することもでき、その場合も前記と同様の効果が得られる。
【符号の説明】
【００６５】
１００…情報系サーバ
１１０…事故復旧処理装置
１２１〜１２４、２２１〜２２４…スイッチングハブ
２０１、２０２…作業処理装置
３００…ゲートウェイ装置
３０４…データ収集機能
３０５…コンテンツ管理機能
４００…スマートデバイス
５００…アクセスポイント
６０１〜６０３…ファイアウォール
【図１】
2015095240.tif 000004
【図２】
2015095240.tif 000005
【図３】
2015095240.tif 000006
【図４】
2015095240.tif 000007
【図５】
2015095240.tif 000008
【図６】
2015095240.tif 000009
【図７】
2015095240.tif 000010
【図８】
2015095240.tif 000011
【図９】
2015095240.tif 000012
【図１０】
2015095240.tif 000013
【図１１】
2015095240.tif 000014
【図１２】
2015095240.tif 000015
【図１３】
2015095240.tif 000016